(57)【特許請求の範囲】
【請求項１】
複数の回線を使用して伝送するに際し、基地局から送信される制御信号に含まれる使用可能な回線数を検出する検出手段と、検出した前記回線数に応じて複数回線を使用して前記基地局との通信を実行可能な通信手段と、通信先の基地局を切り替えるゾーン切替手段と、検出された前記回線数に応じて情報伝送速度を低減する制御手段と、を具備し、
このゾーン切替手段によるゾーン切替えの際、他の新たな基地局において使用可能な前記回線数が不足している場合に、
前記制御手段により低減された情報伝送速度で、前記基地局で使用可能な回線により、前記他の新たな基地局との通信を続行する、ことを特徴とするデータ通信装置。
【請求項２】
基地局と複数の回線を使用して情報伝送を行う音声端末又はデータ端末における情報伝送速度低減方法であって、
基地局から送信される制御信号に含まれる使用可能な回線数を検出し、検出した前記回線数に応じて複数回線を使用して前記基地局との通信を実行するとともに、
通信先の基地局を切り替えるゾーン切替えの際、他の新たな基地局において使用可能な前記回線数が不足している場合に、
検出された前記回線数に応じて前記情報伝送速度を低減して、基地局で使用可能な回線により、前記他の新たな基地局との通信を続行する、ことを特徴とする、音声端末又はデータ端末における情報伝送速度低減方法。
【請求項３】
複数の回線を使用して伝送するに際し、基地局から送信される制御信号に含まれる使用可能な回線数を検出する検出手段と、検出された前記回線数に応じて複数回線を使用して前記基地局との通信を実行可能な通信手段と、通信先の基地局を切り替えるゾーン切替手段と、検出された前記回線数に応じて情報伝送速度を低減する制御手段と、を具備し、
このゾーン切替手段によるゾーン切替えの際、他の新たな基地局において使用可能な前記回線数が不足している場合に、
前記制御手段により低減された情報伝送速度で、前記基地局で使用可能な回線により、前記他の新たな基地局との通信を続行する、ことを特徴とするデータ通信装置、と通信を行う基地局装置であって、
通信に割当て可能な回線数を制御信号中に含めて送信を行うとともに、通信端末装置のゾーン切り替えにより前記データ通信装置と通信を開始する際に、前記情報伝送速度を低減して使用可能な回線により前記データ通信装置と通信を行う、ことを特徴とする基地局装置。
【発明の詳細な説明】
【０００１】
【発明の属する技術分野】
本発明は、ＴＤＭＡ（Ｔｉｍｅ  Ｄｉｖｉｓｉｏｎ  Ｍｕｌｔｉｐｌｅ  Ａｃｃｅｓｓ）やＣＤＭＡ（Ｃｏｄｅ  Ｄｉｖｉｓｉｏｎ  Ｍｕｌｔｉｐｌｅ  Ａｃｃｅｓｓ）等の移動無線におけるデータ通信装置に関する。
【０００２】
【従来の技術】
図３は従来のＴＤＭＡ方式データ通信装置の概略構成を示す。以下、その動作を説明する。図３において、送信側は、音声またはデータ端末からの伝送されるべき情報が送信データ変換回路３５に入力され、制御信号等を付加してフレームが構成され、変調回路３６において各種変調方式により変調され、送信回路３７において所望のキャリア周波数に変換され、送信アンテナ３８から送信される。また、受信側では、受信アンテナ３１で受信された信号は、受信回路３２でベースバンド信号に変換され、復調回路３３でベースバンドデータが復調され、受信データ変換回路３４で制御信号と音声またはデータに分離され、音声またはデータ端末において所望の情報を得る。タイミング制御回路３９は、データ通信装置の全タイミングおよびシーケンスの制御を行なう。
【０００３】
図４は従来のＣＤＭＡ方式データ通信装置の概略構成を示す。以下、その動作を説明する。図４において、送信側は、音声またはデータ端末からの伝送されるべき情報が送信データ変換回路４６に入力され、制御信号等を付加してフレームが構成され、変調回路４７において各種変調方式により変調され、拡散回路４８で符号拡散した後、送信回路４９において所望のキャリア周波数に変換され、送信アンテナ５０から送信される。また、受信側では、受信アンテナ４１で受信された信号は、受信回路４２でベースバンド信号に変換され、逆拡散回路４３で相関検出を行ない、さらに復調回路４４でベースバンドデータが復調され、受信データ変換回路４５で制御信号と音声またはデータに分離され、音声またはデータ端末において所望の情報を得る。タイミング制御回路５１は、データ通信装置の全タイミングおよびシーケンスの制御を行なう。
【０００４】
【発明が解決しようとする課題】
しかしながら、ＴＤＭＡ方式においては、１回線で伝送できる情報は単位スロットによって決まり、単位スロットで決まる伝送レートを超えるデータの伝送（高速データ、画像等）を行なう場合は、同時に複数回線を使用して伝送を行なうが、複数回線を使用したいときに使用できる回線が不足している場合は、データを伝送することができずに呼損が発生してしまうという問題があった。また、ＣＤＭＡ方式の場合も同様に、使用できる回線が不足している場合には、データを伝送することができずに呼損が発生してしまっていた。さらに、ゾーン切替時に使用可能な回線数が不足している場合には、データ通信装置のゾーン切替が失敗していた。
【０００５】
本発明は、このような従来の問題点を解決するものであり、システムの１回線を超えるデータを伝送する場合の呼損率を低減することができる優れたデータ通信装置を提供することを目的とするものである。
【０００６】
【課題を解決するための手段】
本発明のデータ通信装置は、複数の回線を使用して伝送するに際し、基地局から送信される制御信号に含まれる使用可能な回線数を検出する検出手段と、検出した前記回線数に応じて複数回線を使用して前記基地局との通信を実行可能な通信手段と、通信先の基地局を切り替えるゾーン切替手段と、検出された前記回線数に応じて情報伝送速度を低減する制御手段と、を具備し、
このゾーン切替手段によるゾーン切替えの際、他の新たな基地局において使用可能な前記回線数が不足している場合に、
前記制御手段により低減された情報伝送速度で、前記基地局で使用可能な回線により、前記他の新たな基地局との通信を続行する、ことを特徴とする。
【０００７】
したがって本発明によれば、使用可能な回線が不足している場合に、情報伝送速度の低減を行なうことで、音声またはデータ端末の呼損率を低減することができる。また、ゾーン切替時に使用可能な回線数が不足している場合にも、情報伝送速度の低減を行なうことで、データ通信装置のゾーン切替失敗を低減することができる。
【０００８】
【発明の実施の形態】
（実施例１）
図１は本発明の第１の実施例を示すＴＤＭＡ方式データ通信装置の概略ブロック図である。図１において、１は受信アンテナ、２は受信回路、３は復調回路、４は受信データ変換回路、５は端末インタフェース回路、６は送信データ変換回路、７は変調回路、８は送信回路、９は送信アンテナ、１０はタイミング制御回路である。
【０００９】
次に、上記第１の実施例の動作について説明する。送信側は、音声またはデータ端末から伝送する情報に応じて端末インタフェース回路５に対して使用したい回線数を要求する。この要求はタイミング制御回路１０に入力され、制御信号として送信データ変換回路６に入力される。送信データ変換回路６は、入力された制御信号等を付加してフレームを構成し、変調回路７において各種変調方式により変調し、送信回路８において所望のキャリア周波数に変換され、送信アンテナ９から送信される。また、受信側では、受信アンテナ１で受信された信号は、受信回路２でベースバンド信号に変換され、復調回路３でベースバンドデータが復調され、受信データ変換回路４で制御信号と音声またはデータに分離され、音声またはデータ端末において所望の情報を得る。
【００１０】
タイミング制御部１０では、受信した基地局からの制御信号から使用できる回線数を検出し、端末インタフェース回路５に通知する。端末インタフェース回路５では、使用可能な回線数が不足している場合には、高速データ等のデータ端末に対して情報速度の低減要求信号を出力する。データ端末は、呼損とするよりは時間がかかっても低速レートに切り替えて伝送したい場合に、情報伝送速度の低速切替信号を端末インタフェース回路５に通知する。送信するデータが画像の場合で画質が劣化しても伝送したい場合には、情報源符号化レートの低速切替信号を端末インタフェース回路５に通知する。この切替信号を基に端末インタフェース回路５は、使用可能な回線で情報を伝送する。タイミング制御回路１０は、データ通信装置の全タイミングおよびシーケンスの制御を行なう。
【００１１】
また、データ通信装置がゾーン切替時に他の基地局に対してゾーン切替要求を行なうときに、他の基地局の使用できる回線数が不足している場合も、情報伝送速度の低減交渉（ネゴシエーション）を行なうことにより、高速データ通信時に使用できる回線の不足によるゾーン切替失敗の低減を図る。
【００１２】
（実施例２）
図２は本発明の第２の実施例を示すＣＤＭＡ方式データ通信装置の概略ブロック図である。図２において、１１は受信アンテナ、１２は受信回路、１３は逆拡散回路、１４は復調回路、１５は受信データ変換回路、１６は端末インタフェース回路、１７は送信データ変換回路、１８は変調回路、１９は拡散回路、２０は送信回路、２１は送信アンテナ、２２はタイミング制御回路である。
【００１３】
次に、上記第２の実施例の動作について説明する。送信側は、音声またはデータ端末から伝送する情報に応じて端末インタフェース回路１６に対して使用したい回線数を要求する。この要求は、タイミング制御回路２２に入力され、制御信号として送信データ変換回路１７に入力される。送信データ変換回路１７は、入力された制御信号等を付加してフレームを構成し、変調回路１８において各種変調方式により変調され、拡散回路１９で符号拡散した後、送信回路２０において所望のキャリア周波数に変換され、送信アンテナ２１から送信される。また、受信側では、受信アンテナ１１で受信された信号は、受信回路１２でベースバンド信号に変換され、逆拡散回路１３で相関検出を行ない、さらに復調回路１４でベースバンドデータが復調され、受信データ変換回路１５で制御信号と音声またはデータに分離され、音声またはデータ端末において所望の情報を得る。
【００１４】
タイミング制御回路２２では、受信した基地局からの制御信号から使用できる回線数を検出し、端末インタフェース回路１６に通知する。端末インタフェース回路１６では、使用可能な回線数が不足している場合には、高速データ等のデータ端末に対して情報速度の低減要求信号を出力する。データ端末は、呼損とするよりは時間がかかっても低速レートに切り替えて伝送したい場合に、情報伝送速度の低速切替信号を端末インタフェース回路１６に通知する。送信するデータが画像の場合で画質が劣化しても伝送したい場合には、情報源符号化レートの低速切替信号を端末インタフェース回路１６に通知する。この切替信号を基に、端末インタフェース回路１６は使用可能な回線で情報を伝送する。タイミング制御回路２２は、データ通信装置の全タイミングおよびシーケンスの制御を行なう。
【００１５】
また、データ通信装置がゾーン切替時に他の基地局に対してゾーン切替要求を行なうときに、他の基地局の使用できる回線数が不足している場合も、情報伝送速度の低減交渉（ネゴシエーション）を行なうことにより、高速データ通信時に使用できる回線の不足によるゾーン切替失敗の低減を図る。
【００１６】
【発明の効果】
本発明は、上記実施例から明らかなように、使用可能な回線が不足している場合に、情報伝送速度の低減を行なうことで、音声またはデータ端末の呼損率を低減することができ、またゾーン切替時に使用可能な回線数の不足している場合にも、情報伝送速度の低減を行うことで移動端末のゾーン切替失敗を低減することができるという効果を有する。
【図面の簡単な説明】
【図１】本発明の第１の実施例におけるＴＤＭＡ方式データ通信装置の構成を示す概略ブロック図
【図２】本発明の第２の実施例におけるＣＤＭＡ方式データ通信装置の構成を示す概略ブロック図
【図３】従来例におけるＴＤＭＡ方式データ通信装置の構成を示す概略ブロック図
【図４】従来例におけるＣＤＭＡ方式データ通信装置の構成を示す概略ブロック図
【符号の説明】
１  受信アンテナ
２  受信回路
３  復調回路
４  受信データ変換回路
５  端末インタフェース回路
６  送信データ変換回路
７  変調回路
８  送信回路
９  送信アンテナ
１０  タイミング制御回路
１１  受信アンテナ
１２  受信回路
１３  逆拡散回路
１４  復調回路
１５  受信データ変換回路
１６  端末インタフェース回路
１７  送信データ変換回路
１８  変調回路
１９  拡散回路
２０  送信回路
２１  送信アンテナ
２２  タイミング制御回路
【図１】
0003561496.tif 000002
【図２】
0003561496.tif 000003
【図３】
0003561496.tif 000004
【図４】
0003561496.tif 000005